(57)【要約】【課題】連続鋳造設備の鋳片案内ロールの軸受構造として、充分なスラスト耐荷重を備えているとともに長寿命である軸受構造を提供する。【解決手段】連続鋳造設備の鋳片案内ロール３の端面に開口する軸受孔１０と、その軸受孔１０に挿入される支持軸１１との間に介装されて、鋳片案内ロール３を回転可能に支持する軸受の構造であり、軸受孔１０と支持軸１１との間にラジアル軸受である針状ころ軸受１２が配置され、さらに、針状ころ軸受１２の位置より軸受孔１０の内部の位置にスラスト軸受であるスラストメタル軸受１３が配置されている。【選択図】図１
2010051973.tif 000002
【特許請求の範囲】
【請求項１】
連続鋳造設備の鋳片案内ロールの端面に開口する軸受孔と、該軸受孔に挿入される支持軸との間に介装されて、前記鋳片案内ロールを回転可能に支持する軸受の構造であって、
前記軸受孔と前記支持軸との間にラジアル軸受が配置され、さらに、前記ラジアル軸受の位置より軸受孔の内部の位置にスラストメタル軸受が配置されていることを特徴とする連続鋳造設備の鋳片案内ロールの軸受構造。
【請求項２】
前記ラジアル軸受が針状ころ軸受であることを特徴とする請求項１に記載の連続鋳造設備の鋳片案内ロールの軸受構造。
【発明の詳細な説明】
【技術分野】
【０００１】
本発明は、連続鋳造設備の鋳片案内ロールの軸受構造に関し、特に小径の鋳片案内ロールに好適な軸受構造に関する。
【背景技術】
【０００２】
連続鋳造設備は、図５に概略図を示すように、タンディッシュ２内の溶湯をモールド１に注入して該モールド１内で外殻のみが凝固した鋳片７を冷却しつつ引き抜き、引き抜かれた鋳片７を複数の鋳片案内ロール３等によって搬送するようにしたものである。
【０００３】
この鋳片案内ロール３にはラジアル荷重とともにスラスト荷重も掛かる。比較的大径の鋳片案内ロールの場合は、スラスト荷重を受け持たすために自動調芯ころや円錐ころ軸受を組み込んで使用することができるが、小径の鋳片案内ロール（例えば、直径が２００ｍｍ以下のロール）の場合には、自動調芯ころや円錐ころ軸受を組み込むスペースがなく、ラジアル荷重しか負荷できない針状ころ軸受を使用している。
【０００４】
図２に、従来技術にかかる軸受構造の概略を示す。図２に示すように、鋳片案内ロール３の端面に軸受孔２０が開口しており、後端部がフレーム８に固定された支持軸２１の先端部がその軸受孔２０に挿入されている。そして、その軸受孔２０と支持軸２１との間に二列の針状ころ軸受（ラジアル軸受）２２が介装されて鋳片案内ロール３を回転可能に支持するようになっている。その際、スラスト荷重については、軸受孔２０の開口部の位置にスラストメタル軸受２３を取り付け、鋳片案内ロール３の端面とスラストメタル軸受２３とを摺動させながらスラスト荷重を受け持たすようにしている。
【０００５】
しかし、このような従来の軸受構造においては、受け持つことが可能な最大スラスト荷重（スラスト耐荷重）は充分であるが、支持軸２１の端面とスラストメタル軸受２３との摺動部が水やスケールが侵入しやすい環境にあるため、スラストメタル軸受２３が摩耗しやすく、寿命が短いという問題がある。
【０００６】
そこで、特許文献１においては、水やスケールの侵入が無く潤滑環境の良好な軸受孔内部にスラスト円筒ころ軸受を組み込み、そのスラスト円筒ころ軸受にスラスト荷重を受け持たせることにより、軸受寿命の延長を図っている。
【０００７】
すなわち、図３に示すように、鋳片案内ロール３の端面に開口した軸受孔３０に支持軸３１が挿入されており、軸受孔３０と支持軸３１との間にラジアル軸受である針状ころ軸受３２とスラスト軸受であるスラスト円筒ころ軸受３３とが軸方向に互いに離間して組み込まれている。
【０００８】
これにより、この軸受構造においては、小径の鋳片案内ロールの場合でも、スラスト荷重による軸受の損傷が防止されて軸受の寿命を従来に比べて大幅に延長することができるとしている。
【特許文献１】特開２００３−１６４９５０号公報
【発明の開示】
【発明が解決しようとする課題】
【０００９】
前述したように、従来の軸受構造においては、スラスト耐荷重は充分であるが、支持軸とスラストメタル軸受との摺動部が水やスケールの侵入しやすい部位にあるため、スラストメタル軸受の寿命が短いという問題がある。
【００１０】
一方、前記特許文献１に記載の軸受構造の場合、潤滑環境は良好であるが、充分なスラスト耐荷重を有するスラスト円筒ころ軸受を組み込むためのスペースを軸受孔内に確保するのが難しく、スラスト耐荷重が不足する可能性があるという問題がある。
【００１１】
本発明は、上記のような事情に鑑みてなされたものであり、連続鋳造設備の鋳片案内ロールの軸受構造として、充分なスラスト耐荷重を備えているとともに長寿命である軸受構造を提供することを目的とするものである。
【課題を解決するための手段】
【００１２】
上記課題を解決するために、本発明は以下の特徴を有する。
【００１３】
［１］連続鋳造設備の鋳片案内ロールの端面に開口する軸受孔と、該軸受孔に挿入される支持軸との間に介装されて、前記鋳片案内ロールを回転可能に支持する軸受の構造であって、
前記軸受孔と前記支持軸との間にラジアル軸受が配置され、さらに、前記ラジアル軸受の位置より軸受孔の内部の位置にスラストメタル軸受が配置されていることを特徴とする連続鋳造設備の鋳片案内ロールの軸受構造。
【００１４】
［２］前記ラジアル軸受が針状ころ軸受であることを特徴とする前記［１］に記載の連続鋳造設備の鋳片案内ロールの軸受構造。
【発明の効果】
【００１５】
本発明においては、連続鋳造設備の鋳片案内ロールの軸受構造として、充分なスラスト耐荷重を備え、かつ長寿命である軸受構造となっている。
【発明を実施するための最良の形態】
【００１６】
本発明の一実施形態を図面に基づいて説明する。
【００１７】
図１は、本発明の一実施形態に係る連続鋳造設備の鋳片案内ロールの軸受構造を示すものである。
【００１８】
図１に示すように、この実施形態に係る軸受構造は、連続鋳造設備の鋳片案内ロール３の端面に開口する軸受孔１０と、その軸受孔１０に挿入される支持軸１１との間に介装されて、鋳片案内ロール３を回転可能に支持する軸受の構造であり、軸受孔１０と支持軸１１との間にラジアル軸受である針状ころ軸受１２が二列配置され、さらに、針状ころ軸受１２の位置より軸受孔１０の内部の位置にスラスト軸受であるスラストメタル軸受１３が一個配置されている。そして、スラストメタル軸受１３は、鋳片案内ロール３に取り付けられた摺動部材１４との間で摺動しながらスラスト荷重を受け持つようになっている。
【００１９】
ここで、この実施形態においてスラストメタル軸受１３を用いているのは、メタル軸受は円筒ころ軸受に比べて構造がシンプルなので、小スペースで大荷重を受けることができるからである。なお、メタル軸受は回転数が速いところでの使用は難しいが、極低速回転（数ｒｐｍ）である鋳片案内ロール３に対しては好適である。
【００２０】
このようにして、この実施形態においては、スラストメタル軸受１３にスラスト荷重を受け持たせることによって、充分なスラスト耐荷重を得ることができるとともに、そのスラストメタル軸受１３を、水やスケールの侵入が無く、潤滑環境（摺動環境）の良好な軸受孔１０の内部に配置することによって、軸受の長寿命化を達成している。
【００２１】
なお、この実施形態においては、軸受孔１０の開口部の近傍とスラストメタル軸受１３の近傍にシール部材１６、１７を配することによって、水やスケールが軸受孔１０の内部に侵入してスラストメタル軸受１３に損傷を与えることを確実に防止するようにしている。
【００２２】
ちなみに、上記の実施形態においては、針状ころ軸受１２を二列配置し、スラストメタル軸受１３を一個配置しているが、針状ころ軸受１２の配置数およびスラストメタル軸受１３の配置数はそれに限定されることはない。
【実施例１】
【００２３】
本発明の実施例１として、図１に示した本発明の一実施形態に係る軸受構造（本発明例）と、図２に示した従来の軸受構造（従来例）と、図３に示した特許文献１に記載の軸受構造（比較例）について、スラスト耐荷重と軸受寿命の比較を行った。なお、負荷されたスラスト荷重は１．８ｔｏｎであった。
【００２４】
まず、従来例においては、図４に示すように、スラスト耐荷重は２３．８ｔｏｎと非常に大きいが、潤滑環境が不良（×）であるため、軸受の摩耗による軸受破損トラブルが２回／年ほど発生した。軸受破損トラブルが発生すると、復旧に必要となるセグメントの交換作業により４時間程度の生産ライン稼動停止を要するため、約８時間／年の生産ライン稼動停止を余儀なくされた。
【００２５】
一方、比較例においては、潤滑環境が良好（○）であるため、軸受の損耗による軸受破損トラブルは防止されるが、図４に示すように、スラスト耐荷重は４．２ｔｏｎと低く、負荷されたスラスト荷重１．８ｔｏｎからみて、充分な安全率を備えているとは言い難い。
【００２６】
これに対して、本発明例においては、潤滑環境が良好（○）であるため、軸受の損耗による軸受破損トラブルが防止されるとともに、図４に示すように、スラスト耐荷重は１４．７ｔｏｎと高く、充分な安全率を備えているといえる。従来例と比べると、スラストメタル軸受の配置スペースが狭いため、受圧面積が小さくなって、スラスト耐荷重は減少するが、潤滑環境が同等である比較例に比べると、スラスト耐荷重は３．５倍に向上している。
【００２７】
以上のような結果から、本発明の有効性を確認することができた。
【図面の簡単な説明】
【００２８】
【図１】本発明の一実施形態に係る軸受構造を説明するための断面図である。
【図２】従来の軸受構造を説明するための断面図である。
【図３】特許文献１に記載の軸受構造を説明するための断面図である。
【図４】本発明の実施例の効果を示す図である。
【図５】連続鋳造設備の概略図である。
【符号の説明】
【００２９】
１  モールド
２  タンディッシュ
３  鋳片案内ロール
７  鋳片
８  フレーム
１０  軸受孔
１１  支持軸
１２  針状ころ軸受（ラジアル軸受）
１３  スラストメタル軸受（スラスト軸受）
１４  摺動部材
１６  シール
１７  シール
２０  軸受孔
２１  支持軸
２２  針状ころ軸受（ラジアル軸受）
２３  スラストメタル軸受（スラスト軸受）
３０  軸受孔
３１  支持軸
３２  針状ころ軸受（ラジアル軸受）
３３  スラスト円筒ころ軸受（スラスト軸受）
【図１】
2010051973.tif 000003
【図２】
2010051973.tif 000004
【図３】
2010051973.tif 000005
【図４】
2010051973.tif 000006
【図５】
2010051973.tif 000007